(57)【特許請求の範囲】
【請求項１】
二つの住戸の間に共通廊下に連なる共通スペースを設け、夫々の住戸の玄関を共通スペースの両側に向かい合わせに設け、向かい合う玄関の中央部に、高さが２ｍ程度のポスト柱とそれに沿わせた玄関の開口幅の０．８倍〜１．５倍程度の横幅に設定されたパーティションとを設け、パーティションの下部には足元が見える程度の隙間が形成されていることを特徴とする集合住宅のポーチの構造。
【発明の詳細な説明】
【技術分野】
【０００１】
本発明は、集合住宅のポーチの構造に関する。
【背景技術】
【０００２】
複数の住戸が水平方向に並列配置されると共に、上下方向に積層され、各階の並列配置された住戸群の片側に共通廊下が設けられた集合住宅のポーチの構造として、例えば、図５の（Ａ）や（Ｂ）に示すように、並列配置される二つの住戸１の間に、共通廊下２に連なる共通スペース（ポーチとなるスペース）３を設け、夫々の住戸１の玄関４を共通スペース３の両側に向かい合わせに設けたものが知られている（特許文献１）。
【０００３】
尚、６はバルコニーである。図５の（Ａ）に示す７は、並列配置される二つの住戸１間に形成されたスリット（建物の共通廊下２と反対側の側面に開放した吹抜け状の空間）であり、スリット７に面する壁に開口部８を形成して、採光・通風の確保が容易になるように工夫されている。
【０００４】
上図のように、二つの住戸１の間に共通スペース３を設けて、この共通スペース３に玄関４を設けることは、戸建て住戸のような趣のある集合住宅とする上で好ましいが、玄関
４が向かい合っていると、プライバシーに係わる問題を含めて、隣家の住人に気を遣うことが多々ある。
【０００５】
このような問題点の解決策としては、図６に示すように、向かい合う玄関４の前にパーティション５を設けることが先ず考えられる。しかしながら、お互いの玄関４をしっかり仕切ってしまうと、却って隣が気になるものであり、隣人としての付き合いの支障にもなりかねないし、死角になるところが生じることは、防犯の観点からも好ましくない。
【０００６】
【特許文献１】特公平２−４４９７８号公報
【発明の開示】
【発明が解決しようとする課題】
【０００７】
本発明は、上記の問題点を踏まえてなされたもので、その目的とするところは、プライバシーなどの問題を配慮しつつも防犯上の配慮も可能にした集合住宅のポーチの構造を提供することにある。
【課題を解決するための手段】
【０００８】
上記の目的を達成するために、本発明が講じた技術的手段は、次の通りである。即ち、請求項１に記載の発明による集合住宅のポーチの構造は、二つの住戸の間に共通廊下に連なる共通スペースを設け、夫々の住戸の玄関を共通スペースの両側に向かい合わせに設け、向かい合う玄関の中央部に、高さが２ｍ程度のポスト柱とそれに沿わせた玄関の開口幅の０．８倍〜１．５倍程度の横幅に設定されたパーティションとを設け、パーティションの下部には足元が見える程度の隙間が形成されていることを特徴としている。
【０００９】
【００１０】
【００１１】
尚、パーティションとしては、枠組みの中に磨りガラスや不透明アクリル板などの板材を嵌めこんだものや、鉄筋コンクリートパネルなどが使用される。パーティションの高さは、２ｍ程度とすることが望ましく、パーティションの下辺と床面との間には、足元が見える程度の隙間を形成することが望ましい。ポスト柱（上端に梁を持たない柱）は、パーティションと同程度の高さの飾り柱としてもよい。
【発明の効果】
【００１２】
本発明の構成によれば、必要最小限のプライバシーを確保しながらも死角となるスペースが生じないので防犯上も有効である。即ち、請求項１に記載の発明によれば、ポスト柱とそれに沿わせたパーティションの全体としての横幅が、玄関の開口幅と同程度であるから、つまり、玄関の開口幅の０．８倍〜１．５倍程度の横幅に設定されているから、一方の住戸の玄関付近から隣家の玄関を見ないようにすれば見えないし、見ようとすれば見える関係を創出することができる。つまり、隣同士の付き合いでは、見て欲しくないと相手が思うときには見ないようにし、押し売りなどが来て、何とかして欲しいと相手が思っているときには、駆けつけるといった配慮が望ましいものであり、本発明は、このような配慮を具現化し得るのである。
【００１３】
また、玄関ドアのピッキングなどに対しても、パーティション等の横幅が上記の範囲であれば、隣家の玄関から体を完全に隠せる死角スペースが生じないので、犯人に対してプレッシャーを与えることができ、ピッキングの抑制など、防犯上も有効である。
【発明を実施するための最良の形態】
【００１４】
図１は本発明に係る集合住宅のポーチの構造を例示する概略平面図である。このポーチの構造は、複数の住戸１が水平方向に並列配置されると共に、上下方向に積層され、各階の並列配置された住戸群の片側に共通廊下２が設けられた集合住宅において、並列配置される二つの住戸１の間に、共通廊下２に連なる共通スペース（ポーチとなるスペース）３を設け、夫々の住戸１の玄関４を共通スペース３の両側に向かい合わせに設け、向かい合う玄関４の中央部に、玄関４の開口幅と同程度の横幅（玄関４と平行方向における幅）に設定されたパーティション５を設けたことを特徴としている。
【００１５】
６はバルコニーである。７は並列配置される二つの住戸１間に形成されたスリット（建物の共通廊下２と反対側の側面に開放した吹抜け状の空間）であり、スリット７に面する壁に開口部８を形成して、採光・通風の確保が容易になるように工夫されている。スリット７に面する共通スペース３の内端には、手摺９が設けられているが、通風や採光が可能な窓を有する壁を設けてもよい。玄関４は、共通スペース３の内端よりも若干外側に設けられており、パーティション５と手摺（又は壁）９との間には、人が通過できる隙間が形成されている。
【００１６】
尚、パーティション５としては、枠組みの中に磨りガラスや不透明アクリル板などの板材を嵌めこんだものが使用されている。パーティション５の高さは、２ｍ程度に設定され、パーティション５の上辺と天井面との間に隙間が形成されており、パーティション５の下辺と床面との間には、足元が見える程度の隙間が形成されている。
【００１７】
上記の構成によれば、パーティション５の横幅が玄関４の開口幅と同程度であるから、一方の住戸１の玄関４付近から隣家の玄関４を見ないようにすれば見えないし、見ようとすれば見える関係を創出することができる。つまり、隣同士の付き合いでは、見て欲しくないと相手が思うときには見ないようにし、押し売りなどが来て、何とかして欲しいと相手が思っているときには、駆けつけるといった配慮が望ましいものであり、パーティション５の横幅が玄関４の開口幅と同程度とすることによって、このような配慮を具現化し得るのである。
【００１８】
また、玄関ドアのピッキングなどに対しても、パーティション５の横幅が玄関４の開口幅と同程度であれば、隣家の玄関４から体を完全に隠せる死角スペースが生じないので、犯人に対してプレッシャーを与えることができ、ピッキングの抑制など、防犯上も有効である。
【００１９】
玄関４の開口幅と同程度とは、玄関４の開口幅と同一の他、開口幅より狭い場合と、広い場合を含む意味であるが、パーティション５の横幅は、上述した効果を得られる範囲で設定される必要があり、具体的には、玄関４の開口幅の０．８倍〜１．５倍程度がよい。パーティション５の横幅が狭すぎると、一方の住戸１の玄関４付近から隣家の玄関４の内方までよく見えて、プライバシーの確保ができないし、広すぎると、死角になるスペースが生じて、玄関４の前に居る不審者が見えなくなるからである。
【００２０】
図２は、本発明の他の実施形態を示す。この実施形態は、向かい合う玄関４の中央部に、玄関４の開口幅と同程度の横幅（玄関４と平行方向における幅）に設定されたポスト柱（上端に梁を持たない柱）１０を設けた点に特徴がある。この例では、ポスト柱１０が共通スペース３のスラブを支持する柱として構成されている。また、ポスト柱１０は、図面上、円形柱に形成されているが、横幅に比して直角方向の幅（厚み）を狭くした断面が扁平形状或いは楕円形状の柱にしてもよい。ポスト柱１０が玄関４の開口幅よりも細い場合、柱周りを仕上げ材で覆うことにより、必要とする横幅に形成で着る。その他の構成は、図１の実施形態と同じであるため、同一構成部材に同一符号を付し、説明を省略する。
【００２１】
この構成によれば、図１の実施形態と同様の効果に加えて、ポスト柱１０で共通スペース３のスラブを支持するので、共通スペース３のスラブ内端に設けられる梁を省略することができるという効果がある。
【００２２】
図３と図４は、本発明の他の実施形態を示す。この実施形態は、向かい合う玄関４の中央部に、玄関４の開口幅よりも細いポスト柱１０とそれに沿わせた幅狭のパーティション５とを設け、ポスト柱１０及びパーティション５の全体としての横幅（玄関４と平行方向における幅）を玄関４の開口幅と同程度に設定した点に特徴がある。細いポスト柱１０に沿わせて幅狭のパーティション５を設けるにあたっては、図３に示すように、ポスト柱１０の両側に夫々パーティション５を設けてもよく、図４に示すように、ポスト柱１０の片側にパーティション５を設けてもよい。その他の構成、効果は、図２の実施形態と同じであるため、同一構成部材に同一符号を付し、説明を省略する。
【図面の簡単な説明】
【００２３】
【図１】本発明に係る集合住宅のポーチの構造を例示する概略平面図である。
【図２】本発明の他の実施形態を示す概略平面図である。
【図３】本発明の他の実施形態を示す概略平面図である。
【図４】本発明の他の実施形態を示す概略平面図である。
【図５】従来例を示す平面図である。
【図６】比較例を示す平面図である。
【符号の説明】
【００２４】
１  住戸
２  共通廊下
３  共通スペース
４  玄関
５  パーティション
１０  ポスト柱
【図１】
0004684568.tif 000002
【図２】
0004684568.tif 000003
【図３】
0004684568.tif 000004
【図４】
0004684568.tif 000005
【図５】
0004684568.tif 000006
【図６】
0004684568.tif 000007